(57)【要約】【課題】ポンプのエアがみを防止できる洗浄器を提供する。また、ポンプの作動中に、ストレーナ上に液体が滞留するのを軽減して、少ない液量で運転できる洗浄器を提供する。【解決手段】被洗浄物が収容される洗浄槽３と、洗浄槽３内の被洗浄物へ液体を噴射する洗浄ノズル４と、洗浄槽３内の下部に連接された液貯留部５と、液貯留部５の液体を洗浄ノズル４へ供給するポンプ１４とを備える。液貯留部５の上部には、ストレーナ２が設けられる。液貯留部５の下部には、中央部よりも一方へ寄った位置に、ポンプ１４への吸込口３０が設けられる。ストレーナ２として、前記一方の側に第一ストレーナ２Ａが設けられる一方、他方の側に第二ストレーナ２Ｂが設けられる。単位面積当たりで比較したとき、第二ストレーナ２Ｂの開口部の断面積合計は、第一ストレーナ２Ａの開口部の断面積合計よりも大きい。【選択図】図１
2018199091.tif 000002
【特許請求の範囲】
【請求項１】
被洗浄物が収容される洗浄槽と、この洗浄槽内の被洗浄物へ液体を噴射する洗浄ノズルと、前記洗浄槽内の下部に連接された液貯留部と、この液貯留部の液体を前記洗浄ノズルへ供給するポンプとを備え、
前記洗浄槽の下部または前記液貯留部の上部に、ストレーナが設けられ、
前記液貯留部の下部には、中央部よりも一方へ寄った位置に、前記ポンプへの吸込口が設けられ、
前記ストレーナとして、前記一方の側に第一ストレーナが設けられる一方、他方の側に第二ストレーナが設けられ、
単位面積当たりで比較したとき、前記第二ストレーナの開口部の断面積合計は、前記第一ストレーナの開口部の断面積合計よりも大きい
ことを特徴とする洗浄器。
【請求項２】
前記各ストレーナは、網状に形成されており、
前記第二ストレーナの開口率は、前記第一ストレーナの開口率よりも大きい
ことを特徴とする請求項１に記載の洗浄器。
【請求項３】
前記ポンプへの吸込口は、前記液貯留部の長手方向一方の下面に設けられ、
前記洗浄槽の下部または前記液貯留部の上部には、長手方向一方に前記第一ストレーナが設けられる一方、長手方向他方に前記第二ストレーナが設けられる
ことを特徴とする請求項１または請求項２に記載の洗浄器。
【発明の詳細な説明】
【技術分野】
【０００１】
本発明は、被洗浄物に液体を噴射して洗浄する洗浄器に関するものである。
【背景技術】
【０００２】
従来、下記特許文献１に開示されるように、噴射式の洗浄器が知られている。当該文献の図１に基づき説明すると、洗浄器は、被洗浄物が収容される洗浄槽（２）と、この洗浄槽内の被洗浄物へ液体を噴射する洗浄ノズル（３）と、洗浄槽内の下部に連接された液貯留部（４）と、液貯留部への給水手段（５）と、液貯留部からの排水手段（６）と、液貯留部の液体を洗浄ノズルへ循環供給する循環手段（８）と、前記各手段を制御する制御手段とを備える。
【先行技術文献】
【特許文献】
【０００３】
【特許文献１】特開２０１７−２３９８５号公報（請求項１、図１）
【発明の概要】
【発明が解決しようとする課題】
【０００４】
この種の洗浄器において、運転が不安定になる主な原因として、循環手段の循環ポンプでのエアがみがある。すなわち、循環ポンプを作動させると、液貯留部の液体が洗浄ノズルから噴射されて液貯留部へ戻されるが、洗浄ノズルから液貯留部への落水時に生じた気泡を循環ポンプが吸い込むことで、エアがみを生じる。エアがみを防止するには、循環ポンプの吸込口に気泡が到達しないようにする必要がある。
【０００５】
エアがみを防止する一つの方法として、たとえば、液貯留部の上部にストレーナを設けて、圧力損失により気泡を抑制することが考えられる。しかしながら、単にストレーナを設けただけでは、ストレーナの圧力損失により、ストレーナ通過時の流速が低下するため、ストレーナの上部に液体が滞留することになる。つまり、液貯留部の液位はストレーナよりも下方にあっても、ストレーナの上部にも液体が残ることになる。この場合、循環ポンプの作動時に、液貯留部の液体が枯渇しやすくなるので、その分だけ余分に液貯留部に液体を貯留しておく必要がある。このような不都合を防止しようとして、仮にストレーナの目を粗くしたのでは、気泡を有効に排除できず、エアがみを防止できないおそれが残る。
【０００６】
そこで、本発明が解決しようとする課題は、簡易な構成で、ポンプのエアがみを防止できる洗浄器を提供することにある。また、ポンプの作動中に、ストレーナ上に液体が滞留するのを軽減して、少ない液量で運転できる洗浄器を提供することを課題とする。
【課題を解決するための手段】
【０００７】
本発明は、前記課題を解決するためになされたもので、請求項１に記載の発明は、被洗浄物が収容される洗浄槽と、この洗浄槽内の被洗浄物へ液体を噴射する洗浄ノズルと、前記洗浄槽内の下部に連接された液貯留部と、この液貯留部の液体を前記洗浄ノズルへ供給するポンプとを備え、前記洗浄槽の下部または前記液貯留部の上部に、ストレーナが設けられ、前記液貯留部の下部には、中央部よりも一方へ寄った位置に、前記ポンプへの吸込口が設けられ、前記ストレーナとして、前記一方の側に第一ストレーナが設けられる一方、他方の側に第二ストレーナが設けられ、単位面積当たりで比較したとき、前記第二ストレーナの開口部の断面積合計は、前記第一ストレーナの開口部の断面積合計よりも大きいことを特徴とする洗浄器である。
【０００８】
請求項１に記載の発明によれば、洗浄槽の下部または液貯留部の上部に、ストレーナを設けることで、ポンプへの気泡の到達を抑制して、ポンプのエアがみを防止することができる。その際、ポンプへの吸込口の側には、比較的目の細かい（つまり単位面積当たりの開口部の断面積合計が小さい）第一ストレーナを配置して、ポンプへの気泡の到達を抑制することができる。一方、ポンプへの吸込口と逆側には、比較的目の粗い（つまり単位面積当たりの開口部の断面積合計が大きい）第二ストレーナを配置して、ストレーナ上に液体が滞留するのを軽減することができる。これにより、液体の貯留量を抑えた状態で、洗浄器を運転することができる。なお、第二ストレーナを通過後の液体は、第一ストレーナを通過後の液体よりも、ポンプの吸込口までの距離が長いので、その間に気泡の消滅が図られる。
【０００９】
請求項２に記載の発明は、前記各ストレーナは、網状に形成されており、前記第二ストレーナの開口率は、前記第一ストレーナの開口率よりも大きいことを特徴とする請求項１に記載の洗浄器である。
【００１０】
請求項２に記載の発明によれば、洗浄槽の下部または液貯留部の上部に、網状のストレーナを設けることで、ポンプへの気泡の到達を抑制して、ポンプのエアがみを防止することができる。その際、ポンプへの吸込口の側には、開口率の小さな第一ストレーナを配置して、ポンプへの気泡の到達を抑制することができる。一方、ポンプへの吸込口と逆側には、開口率の大きな第二ストレーナを配置して、ストレーナ上に液体が滞留するのを軽減することができる。これにより、液体の貯留量を抑えた状態で、洗浄器を運転することができる。なお、第二ストレーナを通過後の液体は、第一ストレーナを通過後の液体よりも、ポンプの吸込口までの距離が長いので、その間に気泡の消滅が図られる。
【００１１】
さらに、請求項３に記載の発明は、前記ポンプへの吸込口は、前記液貯留部の長手方向一方の下面に設けられ、前記洗浄槽の下部または前記液貯留部の上部には、長手方向一方に前記第一ストレーナが設けられる一方、長手方向他方に前記第二ストレーナが設けられることを特徴とする請求項１または請求項２に記載の洗浄器である。
【００１２】
請求項３に記載の発明によれば、液貯留部の長手方向の中途で分けて、第一ストレーナと第二ストレーナとを設けることで、簡易な構成で、ポンプのエアがみを防止することができる。また、ポンプの作動中に、ストレーナ上に液体が滞留するのを軽減して、少ない液量で運転することができる。
【発明の効果】
【００１３】
本発明の洗浄器によれば、簡易な構成で、ポンプのエアがみを防止することができる。また、ポンプの作動中に、ストレーナ上に液体が滞留するのを軽減して、少ない液量で運転することができる。
【図面の簡単な説明】
【００１４】
【図１】本発明の一実施例の洗浄器を示す概略図であり、一部を断面にして示している。
【図２】図１の洗浄器の下部を示す側面視の縦断面図であり、一部を省略して示している。
【発明を実施するための形態】
【００１５】
以下、本発明の具体的実施例を図面に基づいて詳細に説明する。
図１は、本発明の一実施例の洗浄器１を示す概略図であり、一部を断面にして示している。また、図２は、図１の洗浄器１の下部を示す側面視の縦断面図であり、一部を省略して示している。
【００１６】
以下、まずは、洗浄器１の全体構成と運転方法について説明し、その後、本発明の特徴部であるストレーナ２について説明する。なお、以下では、説明の便宜上、図１における左右方向を洗浄器１の左右方向とし、図１における上下方向を洗浄器１の上下方向とし、図１における紙面と直交方向を洗浄器１の前後方向（手前側が前方）として説明する。図２は、図１の側面視であるため、図２における左右方向は、洗浄器１の前後方向となる（ここでは図２の左側を洗浄器１の前方とする）。
【００１７】
本実施例の洗浄器１は、被洗浄物が収容される洗浄槽３と、この洗浄槽３内の被洗浄物へ液体を噴射する洗浄ノズル４と、洗浄槽３内の下部に連接された液貯留部５と、液貯留部５への給水手段６と、液貯留部５からの排水手段７と、液貯留部５への薬液供給手段８と、液貯留部５の液体を洗浄ノズル４へ供給する循環手段９と、液貯留部５の液体を加熱する加熱手段１０と、これら各手段６〜１０を制御する制御手段（図示省略）とを備える。
【００１８】
被洗浄物は、特に問わないが、たとえば鉗子などの医療器具である。洗浄槽３内には、上下複数段に洗浄ノズル４が設けられるが、被洗浄物は上下の洗浄ノズル４間に配置される。この際、被洗浄物は、格子状（または網状）の棚に載せられる。また、被洗浄物は、所望によりバスケットなどに収容されていてもよい。
【００１９】
洗浄槽３は、被洗浄物が収容される中空容器である。洗浄槽３は、本実施例では略矩形の中空ボックス状である。洗浄槽３は、ドア（図示省略）により開閉可能とされる。ドアを開けることで、洗浄槽３に対し被洗浄物を出し入れすることができる。ドアは、洗浄槽３の正面に設けられるが、洗浄槽３の正面および背面の双方に設けられてもよい。
【００２０】
洗浄ノズル４は、洗浄槽３内の被洗浄物へ液体を噴射する。洗浄ノズル４は、洗浄槽３内に、上下複数段に設けられる。本実施例では、洗浄槽３の一側部に、上下複数段にアーム状の支持部材１１の基端部が保持され、各支持部材１１は、洗浄槽３の一側部から左右方向中央部へ向けて延出する。そして、その延出先端部に、洗浄ノズル４の長手方向中央部が鉛直軸まわりに回転可能に保持される。
【００２１】
洗浄ノズル４は、支持部材１１内を介して供給される液体を噴射させるノズル孔（図示省略）を複数形成されている。支持部材１１を介して洗浄ノズル４内に液体が供給されると、その液体は洗浄ノズル４のノズル孔から噴射される。この噴流により、洗浄ノズル４は、支持部材１１の端部の軸受部まわりに回転する。なお、洗浄槽３内の上端部に設けられる洗浄ノズル４は、下方へのみ液体を噴射し、洗浄槽３内の下端部に設けられる洗浄ノズル４は、上方へのみ液体を噴射し、上下両端部以外の洗浄ノズル４は、上下両方へ液体を噴射する。
【００２２】
ところで、図１において一点鎖線で示すように、洗浄槽３に対し洗浄ラック１２を出し入れ可能としてもよい。図示例では、上下両端部に設けられる洗浄ノズル４は、洗浄槽３自体に設けられ、それ以外の洗浄ノズル４は、洗浄ラック１２に設けられている。洗浄ラック１２には、一側部に配水部材１３が設けられており、その配水部材１３に上下複数段に支持部材１１が設けられ、各支持部材１１に洗浄ノズル４が回転可能に保持されている。また、洗浄ラック１２には、各洗浄ノズル４の上部と洗浄ラック１２の下部とに、被洗浄物の載置棚が設けられている。洗浄槽３内に洗浄ラック１２を格納すると、後述する循環ポンプ１４からの配管が、配水部材１３に接続される。
【００２３】
洗浄槽３内の下部には、液貯留部５が連接されている。言い換えれば、洗浄槽３は、下部に液貯留部５を備える。本実施例では、洗浄槽３の下壁は、左右両端部が左右方向内側へ行くに従って下方へ傾斜する傾斜面３ａに形成されると共に、前後両端部が前後方向内側へ行くに従って下方へ傾斜する傾斜面３ｂに形成されている。そして、洗浄槽３の左右方向中央部で且つ前後方向中央部には、下方へ略矩形状に凹んで凹部１５が形成されており、この凹部１５を含んだ形で、洗浄槽３内の下部が液貯留部５とされる。
【００２４】
図示例の場合、洗浄槽３の下部には、パンチングメタルから構成される仕切板１６が設けられている。この仕切板１６に形成される穴径は、後述するストレーナ２の目よりも十分に大きなものとなっている。本実施例では、この仕切板１６を境に、洗浄槽３と液貯留部５とに分けられる。そのため、図示例の場合、液貯留部５は、実質的に前記凹部１５から構成される。但し、洗浄槽３と液貯留部５との間の仕切板１６の位置は、最下段の洗浄ノズル４よりも下方であれば、適宜に変更可能である。また、場合により、仕切板１６の設置を省略してもよい。
【００２５】
給水手段６は、給水路１７を介して、液貯留部５に水を供給する。給水路１７には、給水弁１８が設けられている。給水弁１８を開けることで、液貯留部５に給水することができる。図示例では、洗浄槽３に給水路１７を接続することで、給水は洗浄槽３を介して液貯留部５に供給されるが、液貯留部５に給水路１７を接続することで、給水は液貯留部５に直接に供給されてもよい。なお、給水手段６は、複数種の水（たとえば水道水、温水、膜濾過水など）から選択された水を供給可能に構成されてもよい。
【００２６】
排水手段７は、液貯留部５から排水路１９を介して水を排出する。排水路１９には、排水弁２０が設けられている。排水弁２０を開けることで、洗浄槽３や液貯留部５から排水することができる。
【００２７】
薬液供給手段８は、薬液タンク２１から給液路２２を介して、液貯留部５に薬液を供給する。給液路２２には、薬液ポンプ２３が設けられている。薬液ポンプ２３を作動させることで、設定量の薬液を液貯留部５に供給することができる。図示例では、液貯留部５に給液路２２を接続することで、薬液は液貯留部５に直接に供給されるが、洗浄槽３に給液路２２を接続することで、薬液は洗浄槽３を介して液貯留部５に供給されてもよい。なお、薬液供給手段８は、複数種の薬液（たとえばアルカリ性洗剤、酵素配合洗剤、潤滑防錆剤、乾燥促進剤など）から選択された薬液を供給可能に構成されてもよい。
【００２８】
循環手段９は、液貯留部５の液体を洗浄ノズル４へ循環供給する。具体的には、循環手段９は、循環配管２４と循環ポンプ１４とを備える。循環配管２４は、液貯留部５から各洗浄ノズル４の支持部材１１への配管であり、その途中に循環ポンプ１４が設けられている。なお、図示例では、循環配管２４の内、液貯留部５から循環ポンプ１４への配管は、上流側において、排水路１９と共通管路とされている。また、循環配管２４の内、循環ポンプ１４の出口側には、逆止弁２５が設けられている。循環ポンプ１４を作動させると、液貯留部５の液体を、循環配管２４および支持部材１１を介して洗浄ノズル４へ供給して噴射し、洗浄槽３内下部の液貯留部５へ戻すことができる。
【００２９】
加熱手段１０は、本実施例では、液貯留部５に設けられたヒータ２６から構成される。ヒータ２６は、図示例では電気ヒータであるが、場合により蒸気ヒータであってもよい。電気ヒータの場合、典型的にはオンオフ制御されるが、場合により出力を調整されてもよい。一方、蒸気ヒータの場合、蒸気管内に蒸気が供給可能とされ、蒸気の凝縮水は蒸気トラップを介して外部へ排出される。そして、給蒸路に設けた給蒸弁の開閉または開度が制御される。
【００３０】
液貯留部５には、液位検出器２７が設けられる。液位検出器２７は、その構成を特に問わないが、たとえば、液貯留部５の底部に設置した圧力センサから構成される。この場合、液貯留部５や洗浄槽３内の液位に応じて、水圧が変わることを利用して液位を把握する。
【００３１】
液貯留部５には、温度センサ２８が設けられる。温度センサ２８の検出温度に基づきヒータ２６を制御することで、液貯留部５の貯留液の温度を調整することができる。
【００３２】
その他、洗浄器１には、所望により、超音波振動子２９が設けられる。図示例では、洗浄槽３の下部の左右の傾斜面３ａに、それぞれ超音波振動子２９が設けられている。超音波振動子２９は、超音波発振器に接続されて、発振を制御される。
【００３３】
制御手段は、前記各手段６〜１０の他、液位検出器２７および温度センサ２８などに接続された制御器（図示省略）である。具体的には、給水弁１８、排水弁２０、薬液ポンプ２３、循環ポンプ１４、ヒータ２６、超音波発振器、液位検出器２７および温度センサ２８などは、制御器に接続されている。そして、制御器は、所定の手順（プログラム）に従い、洗浄槽３内の被洗浄物の洗浄を図る。この際、少なくとも、次に述べるシャワー洗浄動作を実行可能とされる。
【００３４】
シャワー洗浄動作では、液貯留部５内に液体を貯留し、その液体を循環手段９により洗浄ノズル４へ循環供給して、洗浄ノズル４から被洗浄物に噴射する。具体的には、まず、液位検出器２７が設定水位を検出するまで、給水手段６により液貯留部５に給水する。また、必要に応じて、薬液供給手段８により液貯留部５に所望の薬液を投入する。薬液供給手段８による薬液は、給水手段６による給水に対し、設定濃度になるように設定量だけ投入される。さらに、同じく必要に応じて、加熱手段１０により、液貯留部５内の貯留水を設定温度まで加熱する。薬液の投入や貯留水の加熱は、循環手段９の作動前に限らず、循環手段９の作動中に行ってもよい。いずれにしても、液貯留部５に所望量の液体を貯留した状態で、循環ポンプ１４を作動させて、貯留液を循環配管２４および支持部材１１を介して洗浄ノズル４へ供給して噴射し、洗浄ノズル４を回転させながら被洗浄物を洗浄する。そして、各洗浄ノズル４から噴射された液体は、洗浄槽３下部の液貯留部５へ戻される。所定の終了条件（たとえば設定時間の経過）を満たすと、循環ポンプ１４を停止して、液貯留部５内の液体を排水手段７により排出する。そして、所望により、このようなシャワー洗浄動作を繰り返して、被洗浄物を洗浄および濯ぎする。たとえば、薬液を投入しない常温水による予備洗浄、所望により洗剤を投入した温水による本洗浄（典型的には複数回）、所望により濯ぎ剤を投入した温水による濯ぎ洗浄（典型的には複数回）などが順次になされる。
【００３５】
次に、本実施例の洗浄器１に設けられるストレーナ２について、説明する。
本実施例のストレーナ２は、液貯留部５の上部に設けられるが、場合により、洗浄槽３の下部に設けられてもよい。言い換えれば、ストレーナ２は、液貯留部５内の上部に設けられてもよいし、液貯留部５より上方で最下段の洗浄ノズル４よりも下方に設けられてもよい。洗浄槽３内の下部に仕切板１６を設ける場合、ストレーナ２は仕切板１６よりも下方に設けられる。図示例では、洗浄槽３の下部には、前述したとおり、前後左右の傾斜面３ａ，３ｂを介して下方への凹部１５が形成されているが、ストレーナ２は、この凹部１５内の上部に設けられる。
【００３６】
ところで、液貯留部５の下部には、平面視の中央部（液貯留部５の前後方向中央部および／または左右方向中央部）よりも一方へ寄った位置に、循環ポンプ１４への吸込口３０が設けられている。つまり、液貯留部５を構成する底壁（または前後左右のいずれかの側壁）には、循環ポンプ１４との接続配管２４の開口部３０が形成されている。
【００３７】
そして、ストレーナ２として、前記一方の側（つまり吸込口３０の側）に第一ストレーナ２Ａが設けられる一方、他方の側（つまり吸込口３０と逆側）に第二ストレーナ２Ｂが設けられている。ここで、各ストレーナ２Ａ，２Ｂを単位面積当たりで比較したとき、第二ストレーナ２Ｂの開口部の断面積合計は、第一ストレーナ２Ａの開口部の断面積合計よりも大きい。より具体的に説明すると、本実施例では、次のように構成される。
【００３８】
すなわち、本実施例の洗浄器１では、略矩形状の凹部１５から構成される液貯留部５は、図２に示すように、長手方向を前後方向へ沿って配置されている。そして、図示例では、液貯留部５の手前側の底壁に、循環ポンプ１４への吸込口３０（液貯留部５に対する循環配管２４の接続開口）が設けられている。
【００３９】
一方、液貯留部５内の上部には、液貯留部５の上部開口を覆うように、ストレーナ２が設けられている。その際、前記吸込口３０の側（ここでは洗浄槽３の前方半分）には、第一ストレーナ２Ａが配置され、吸込口３０と逆側（ここでは洗浄槽３の後方半分）には、第二ストレーナ２Ｂが設けられている。第一ストレーナ２Ａと第二ストレーナ２Ｂとの境界は、図示例では、液貯留部５の前後方向中央部（長手方向中央部）とされるが、場合により、それより設定寸法だけ前方または後方へずらしてもよい。
【００４０】
第一ストレーナ２Ａと第二ストレーナ２Ｂとは、目の粗さを異ならせている。前述したとおり、単位面積当たりで比較したとき、第二ストレーナ２Ｂの開口部の断面積合計は、第一ストレーナ２Ａの開口部の断面積合計よりも大きい。典型的には、各ストレーナ２Ａ，２Ｂは、目の粗さが場所によらず均一な網状に形成されており、第二ストレーナ２Ｂの開口率は、第一ストレーナ２Ａの開口率よりも大きい。言い換えれば、各ストレーナ２Ａ，２Ｂは、メッシュから形成されており、第二ストレーナ２Ｂの目開きは、第一ストレーナ２Ａの目開きよりも大きい。
【００４１】
本実施例の洗浄器１によれば、液貯留部５の上部に、網状のストレーナ２を設けることで、循環ポンプ１４への気泡の到達を抑制して、循環ポンプ１４のエアがみを防止することができる。その際、循環ポンプ１４への吸込口３０の側には、開口率の小さな第一ストレーナ２Ａを配置して、循環ポンプ１４への気泡の到達を抑制することができる。一方、循環ポンプ１４への吸込口３０と逆側には、開口率の大きな第二ストレーナ２Ｂを配置して、ストレーナ２上に液体が滞留するのを軽減することができる。これにより、液体の貯留量を抑えた状態で、洗浄器１を運転することができる。
【００４２】
つまり、循環ポンプ１４の作動時に、ストレーナ２上に液体が滞留するのを軽減して、液貯留部５内へ液体を迅速に戻すことができる。そのため、ストレーナ２上に液体が滞留する場合（たとえば仮にストレーナ２全体を第一ストレーナ２Ａから構成した場合）と比較して、液貯留部５内の液位を比較的高く保つことができ、循環ポンプ１４のエアがみを防止しやすい。また、前述したシャワー洗浄動作において、液貯留部５への給水量を少なくすることができる。そして、給水量を削減することは、薬液投入量や加熱量の削減にもつながるので、ランニングコストの低減を図ることができる。また、給排水の時間を短縮することで、運転効率の向上を図ることもできる。なお、第二ストレーナ２Ｂを通過後の液体は、第一ストレーナ２Ａを通過後の液体よりも、循環ポンプ１４の吸込口３０までの移動距離が長いので、その間に気泡の消滅が図られる。
【００４３】
本発明の洗浄器１は、前記実施例の構成に限らず適宜変更可能である。特に、洗浄槽３の下部または液貯留部５の上部に、ストレーナ２が設けられ、液貯留部５の下部には、中央部よりも一方へ寄った位置に、ポンプ１４への吸込口３０が設けられ、ストレーナ２として、前記一方の側に第一ストレーナ２Ａが設けられる一方、他方の側に第二ストレーナ２Ｂが設けられ、単位面積当たりで比較したとき、第二ストレーナ２Ｂの開口部の断面積合計は、第一ストレーナ２Ａの開口部の断面積合計よりも大きいのであれば、その他の構成は、適宜に変更可能である。
【００４４】
たとえば、前記実施例では、液貯留部５は、前後に細長い略矩形状の凹部１５から構成されたが、左右に細長い略矩形状の凹部１５から構成されてもよい。その場合も、循環ポンプ１４への吸込口３０は、液貯留部５の長手方向中央部よりも一方へ寄った位置（好ましくは液貯留部５の一端部）に設け、その一方の側に第一ストレーナ２Ａを設け、他方の側に第二ストレーナ２Ｂを設ければよい。
【００４５】
また、液貯留部５の形状は、略矩形状に限らず、たとえば平面視円形または楕円形の凹部などでもよい。その場合も、循環ポンプ１４への吸込口３０は、凹部１５の中心よりもずれた位置に設け、吸込口３０の側に第一ストレーナ２Ａを設け、逆側に第二ストレーナ２Ｂを設ければよい。
【００４６】
さらに、前記実施例において、洗浄後の被洗浄物を乾燥可能に、送風機をさらに備えてもよい。この場合、洗浄後の濡れた被洗浄物は、洗浄槽３へ供給される温風により乾燥を図られる。
【符号の説明】
【００４７】
１  洗浄器
２  ストレーナ（２Ａ：第一ストレーナ、２Ｂ：第二ストレーナ）
３  洗浄槽（３ａ：左右の傾斜面、３ｂ：前後の傾斜面）
４  洗浄ノズル
５  液貯留部
６  給水手段
７  排水手段
８  薬液供給手段
９  循環手段
１０  加熱手段
１１  支持部材
１２  洗浄ラック
１３  配水部材
１４  循環ポンプ
１５  凹部
１６  仕切板
１７  給水路
１８  給水弁
１９  排水路
２０  排水弁
２１  薬液タンク
２２  給液路
２３  薬液ポンプ
２４  循環配管
２５  逆止弁
２６  ヒータ
２７  液位検出器
２８  温度センサ
２９  超音波振動子
３０  吸込口
【図１】
2018199091.tif 000003
【図２】
2018199091.tif 000004